(57)【要約】【課題】  音声チャンネル等のパラメータが変更になった場合でも、収録のやり直しや上位システムのコントローラからの制御を行うことなく、容易かつ迅速に素材のパラメータを変更可能とする。【解決手段】  素材を記憶する記憶手段５１と、素材を記憶手段５１に記憶させる制御手段５２とを備え、この制御手段５２が、素材に関する所定のパラメータを示すインデックス情報を作成し、このインデックス情報を素材に付加して記憶手段５１に記憶させる。【選択図】    図１
2010239400.tif 000002
【特許請求の範囲】
【請求項１】
素材を記憶する記憶手段と、
前記素材を前記記憶手段に記憶させる制御手段とを備え、
この制御手段が、前記素材に関する所定のパラメータを示すインデックス情報を作成し、このインデックス情報を前記素材に付加して前記記憶手段に記憶させる
ことを特徴とする送出サーバ。
【請求項２】
所定の操作が行われる入力手段と、
所定の情報を表示する表示手段とを備え、
前記インデックス情報の編集を開始するための操作が前記入力手段で行われると、前記制御手段は、前記インデックス情報を前記記憶手段から取り出して前記表示手段に表示させ、
前記入力手段の操作により前記インデックス情報が編集されると、前記制御手段は、編集後のインデックス情報を前記素材に付加して前記記憶手段に記憶させる
ことを特徴とする請求項１記載の送出サーバ。
【請求項３】
圧縮処理された前記素材を解凍するデコーダを備え、
前記制御手段は、外部から送出要求を受信すると、前記素材とこの素材に付加されたインデックス情報とを前記記憶手段から取り出して前記デコーダへ送り、
前記デコーダは、インデックス情報にもとづいて前記素材のパラメータを変更する
ことを特徴とする請求項１又は２記載の送出サーバ。
【請求項４】
前記インデックス情報が、前記素材を構成する映像データ、音声データ、アンシラリデータのうちの一又は二以上に関する所定のパラメータを示す
ことを特徴とする請求項１〜３のいずれかに記載の送出サーバ。
【請求項５】
編集前の素材を記憶する第一記憶手段と、
編集後の素材を記憶する第二記憶手段と、
前記編集後の素材を前記第二記憶手段に記憶させる制御手段とを備え、
この制御手段が、前記編集後の素材に関する所定のパラメータを示すインデックス情報を作成し、このインデックス情報を前記編集後の素材に付加して前記第二記憶手段に記憶させる
ことを特徴とするビデオサーバ。
【請求項６】
所定の操作が行われる入力手段と、
所定の情報を表示する表示手段とを備え、
前記インデックス情報の編集を開始するための操作が前記入力手段で行われると、前記制御手段は、前記インデックス情報を前記第二記憶手段から取り出して前記表示手段に表示させ、
前記入力手段の操作により前記インデックス情報が編集されると、前記制御手段は、編集後のインデックス情報を前記素材に付加して前記第二記憶手段に記憶させる
ことを特徴とする請求項５記載のビデオサーバ。
【請求項７】
素材を外部へ送出する送出サーバを備え、
この送出サーバが、前記素材を記憶する記憶手段と、
前記素材を前記記憶手段に記憶させる制御手段とを有し、
この制御手段が、前記素材に関する所定のパラメータを示すインデックス情報を作成し、このインデックス情報を前記素材に付加して前記記憶手段に記憶させる
ことを特徴とするビデオサーバシステム。
【請求項８】
前記送出サーバが、
所定の操作が行われる入力手段と、
所定の情報を表示する表示手段とを有し、
前記インデックス情報の編集を開始するための操作が前記入力手段で行われると、前記制御手段は、前記インデックス情報を前記記憶手段から取り出して前記表示手段に表示させ、
前記入力手段の操作により前記インデックス情報が編集されると、前記制御手段は、編集後のインデックス情報を前記素材に付加して前記記憶手段に記憶させる
ことを特徴とする請求項７記載のビデオサーバシステム。
【請求項９】
編集前の素材と編集後の素材を記憶するビデオサーバを備え、
このビデオサーバが、
前記編集後の素材を記憶する記憶手段と、
前記編集後の素材を前記記憶手段に記憶させる制御手段とを備え、
この制御手段が、前記編集後の素材に関する所定のパラメータを示すインデックス情報を作成し、このインデックス情報を前記編集後の素材に付加して前記記憶手段に記憶させる
ことを特徴とするビデオサーバシステム。
【請求項１０】
前記ビデオサーバが、
所定の操作が行われる入力手段と、
所定の情報を表示する表示手段とを有し、
前記インデックス情報の編集を開始するための操作が前記入力手段で行われると、前記制御手段は、前記インデックス情報を前記記憶手段から取り出して前記表示手段に表示させ、
前記入力手段の操作により前記インデックス情報が編集されると、前記制御手段は、編集後のインデックス情報を前記素材に付加して前記記憶手段に記憶させる
ことを特徴とする請求項９記載のビデオサーバシステム。
【請求項１１】
素材に関する所定のパラメータを示すインデックス情報を作成する処理と、
前記インデックス情報を前記素材に付加して記憶する処理とを有した
ことを特徴とする素材管理方法。
【請求項１２】
前記インデックス情報の編集を開始するための操作が行われると、前記インデックス情報を表示する処理と、
前記インデックス情報が編集されると、編集後のインデックス情報を前記素材に付加して記憶する処理とを有した
ことを特徴とする請求項１１記載の素材管理方法。
【請求項１３】
素材に関する所定のパラメータを示すインデックス情報を作成する処理と、
前記インデックス情報を前記素材に付加して記憶する処理と
を送出サーバに実行させる
ことを特徴とする素材管理プログラム。
【請求項１４】
前記インデックス情報の編集を開始するための操作が行われると、前記インデックス情報を表示する処理と、
前記インデックス情報が編集されると、編集後のインデックス情報を前記素材に付加して記憶する処理と
を前記送出サーバに実行させる
ことを特徴とする請求項１３記載の素材管理プログラム。
【発明の詳細な説明】
【技術分野】
【０００１】
本発明は、映像素材を送出する送出サーバ、送出サーバと素材サーバの機能を有したビデオサーバ、送出サーバ又はビデオサーバを備えたビデオサーバシステム、その映像素材を管理する素材管理方法、及び、この素材管理方法を実行するための素材管理プログラムに関し、特に、放送局等に設置されて映像、音声、アンシラリデータを管理する送出サーバ、ビデオサーバ、ビデオサーバシステム、素材管理方法及び素材管理プログラムに関する。
【背景技術】
【０００２】
一般に、放送局などには、映像素材を配信するためのビデオサーバシステムが構築されている。
このビデオサーバシステムは、一般的な構成として、編集機と、素材サーバと、送出サーバと、スイッチャと、上位システムとを備えている（例えば、特許文献１参照。）。
【０００３】
編集機は、収録又はファイル転送されてきた素材を受信又は入力し、これら素材を編集して、映像コンテンツを制作するための装置である。この編集機には、リニア編集機とノンリニア編集機があるが、近年では、ノンリニア編集機が主に使われている。
素材サーバは、編集機から素材を受け取って記憶・管理する。
送出サーバは、編集機で制作された映像コンテンツを蓄積し、利用者からの要求に従って、その映像コンテンツを外部へ送出する。
【０００４】
スイッチャは、コンテンツの選択切り換えと、ネットワークの接続先の切り換えを行う。
上位システムは、放送番組のスケジュール（番組構成表）を作成し、この内容を編集機に提供するとともに、送出サーバやスイッチャを制御する。この上位システムは、番組制作部門等に設置されている。
【０００５】
このような構成のビデオサーバシステムにおいては、映像や音声の調整や編集を、編集機において行うか、あるいは、送出サーバからの送出中に上位のコントローラからコントロールしていた。
【先行技術文献】
【特許文献】
【０００６】
【特許文献１】特開２００８−０５９０９６号公報
【発明の概要】
【発明が解決しようとする課題】
【０００７】
しかしながら、映像や音声の調整や編集を前述のように行うと、次のような問題が生じていた。
例えば、送出サーバが素材データを送出しようとする場合において、音声チャンネルが変更になったときには、この音声チャンネルが変更された音声データを生成し、この生成した音声データを含む素材データを編集機で収録し直さなければならなかった。
また、再収録をしない場合でも、送出サーバから送出される素材に対し、上位システムのコントローラから制御する必要があり、手間がかかっていた。
【０００８】
本発明は、上記の事情にかんがみなされたものであり、音声チャンネル等のパラメータが変更になった場合でも、収録のやり直しや上位システムのコントローラからの制御を行うことなく、容易かつ迅速に素材のパラメータを変更可能とする送出サーバ、ビデオサーバ、ビデオサーバシステム、素材管理方法及び素材管理プログラムの提供を目的とする。
【課題を解決するための手段】
【０００９】
この目的を達成するため、本発明の送出サーバは、素材を記憶する記憶手段と、素材を記憶手段に記憶させる制御手段とを備え、この制御手段が、素材に関する所定のパラメータを示すインデックス情報を作成し、このインデックス情報を素材に付加して記憶手段に記憶させる構成としてある。
【００１０】
また、本発明のビデオサーバは、編集前の素材を記憶する第一記憶手段と、編集後の素材を記憶する第二記憶手段と、編集後の素材を第二記憶手段に記憶させる制御手段とを備え、この制御手段が、編集後の素材に関する所定のパラメータを示すインデックス情報を作成し、このインデックス情報を編集後の素材に付加して第二記憶手段に記憶させる構成としてある。
【００１１】
また、本発明のビデオサーバシステムは、素材を外部へ送出する送出サーバを備え、この送出サーバが、素材を記憶する記憶手段と、素材を記憶手段に記憶させる制御手段とを有し、この制御手段が、素材に関する所定のパラメータを示すインデックス情報を作成し、このインデックス情報を素材に付加して記憶手段に記憶させる構成としてある。
【００１２】
また、本発明のビデオサーバシステムは、編集前の素材と編集後の素材を記憶するビデオサーバを備え、このビデオサーバが、編集後の素材を記憶する記憶手段と、編集後の素材を記憶手段に記憶させる制御手段とを備え、この制御手段が、編集後の素材に関する所定のパラメータを示すインデックス情報を作成し、このインデックス情報を編集後の素材に付加して記憶手段に記憶させる構成としてある。
【００１３】
また、本発明の素材管理方法は、素材に関する所定のパラメータを示すインデックス情報を作成する処理と、インデックス情報を素材に付加して記憶する処理とを有した方法としてある。
【００１４】
また、本発明の素材管理プログラムは、素材に関する所定のパラメータを示すインデックス情報を作成する処理と、インデックス情報を素材に付加して記憶する処理とを送出サーバに実行させる構成としてある。
【発明の効果】
【００１５】
本発明の送出サーバ、ビデオサーバ、ビデオサーバシステム、素材管理方法及び素材管理プログラムによれば、素材にインデックス情報を付加して記憶し、そのインデックス情報の編集を可能としたので、音声チャンネル等のパラメータが変更になった場合でも、収録のやり直しや上位システムのコントローラからの制御を行うことなく、容易かつ迅速に素材のパラメータを変更できる。
【図面の簡単な説明】
【００１６】
【図１】本発明の実施形態におけるビデオサーバシステムの構成を示すブロック図である。
【図２】本発明の実施形態における送出サーバの構成を示すブロック図である。
【図３】送出サーバの他の構成を示すブロック図である。
【図４】送出サーバの記憶手段に記憶される素材及びインデックス情報の構成を示すブロック図である。
【図５】素材インデックス情報の構成を示すブロック図である。
【図６】映像に関するインデックス情報の構成を示すブロック図である。
【図７】音声に関するインデックス情報の構成を示すブロック図である。
【図８】アンシラリデータに関するインデックス情報の構成を示すブロック図である。
【図９】編集前及び編集後の再生順序のパラメータを示す図である。
【図１０】編集前及び編集後の再生範囲のパラメータを示す図である。
【図１１】編集前及び編集後のＹＣレベル及び色相のパラメータを示す図である。
【図１２】編集前及び編集後の「重畳するアンシラリデータのＬＩＮＥ＿ＮＯ」のパラメータを示す図である。
【図１３】編集前及び編集後の音声パラメータを示す図である。
【図１４】本発明の実施形態における送出サーバの動作手順を示すフローチャートである。
【図１５】ビデオサーバシステムの他の構成を示すブロック図である。
【発明を実施するための形態】
【００１７】
以下、本発明に係る送出サーバ、ビデオサーバ、ビデオサーバシステム、素材管理方法及び素材管理プログラムの好ましい実施形態について、図面を参照して説明する。
【００１８】
［実施形態］
まず、本発明の送出サーバ、ビデオサーバシステム、素材管理方法及び素材管理プログラムの実施形態について、図１を参照して説明する。
図１は、本実施形態のビデオサーバシステムの構成を示すブロック図である。
【００１９】
（ビデオサーバシステム、送出サーバ）
図１に示すように、ビデオサーバシステム１ａは、編集機１０と、素材サーバ２０と、スイッチャ３０と、上位システム４０と、送出サーバ５０とを備えている。
【００２０】
ここで、編集機１０は、ＥＮＧ(Electronic  News  Gathering)カメラ１１で収録された素材や、回線１２を介してファイル転送されてきた素材を受信又は入力し、これら素材に対し編集作業を行って、映像コンテンツを制作するための装置である。つまり、編集機１０は、例えば、素材の必要な部分を切り出して、それらをつなぎ合わせ、所望の映像コンテンツを制作する編集作業を行うことができる。
なお、この編集機１０には、磁気テープなどを対象とするリニア編集機と、ＨＤＤ（Hard  Disk  Drive）などを対象とするノンリニア編集機がある。
また、ＥＮＧカメラ１１で撮影された素材は、ＶＴＲ(Video  Tape  Recorder)テープ等の媒体に記録し、編集機１０で再生することができる。
【００２１】
素材サーバ２０は、編集前の素材を編集機１０から受け取って記憶・管理する。
スイッチャ３０は、コンテンツの選択切り換えと、ネットワークの接続先の切り換えを行う。
【００２２】
上位システム４０は、番組制作部門等に設置されたコンピュータである。この上位システム４０は、放送番組のスケジュール（番組構成表）を作成し、この内容を編集機１０に提供するとともに、スイッチャ３０や送出サーバ５０を制御する。
なお、上位システム４０は、厳密にはビデオサーバシステム１ａとは別系統のワークグループに属するネットワークに接続されており、このネットワークとビデオサーバシステム１ａとを連接して、いわゆるＷＡＮ（Wide  Area  Network）を構築している。
この上位システム４０には、例えば、報道支援システム４１やＯＴＣ(One  Touch  Controller)システム４２などがある。
【００２３】
送出サーバ５０は、プログラム制御により動作するコンピュータであって、パーソナルコンピュータ（ＰＣ）などで構成することができ、編集機１０で制作された映像コンテンツ（編集後の素材）を蓄積し、利用者からの要求に従って、その映像コンテンツを外部へ送出する。
この送出サーバは、図２に示すように、記憶手段５１と、制御手段（ＣＰＵ(Central  Processing  Unit)）５２とを有している。また、送出サーバ５０は、図３に示すように、さらに、エンコーダ５３と、デコーダ５４と、表示手段５５と、入力手段５６とを有することができる。
【００２４】
記憶手段５１は、所定の記憶領域を有しており、送出サーバ５０が有する各種機能を実現するためのプログラムやデータを記憶する。
また、記憶手段５１は、エンコーダ５３で圧縮処理された素材やファイル転送されてきた素材を記憶する。このため、記憶手段５１は、高速アクセス可能な大容量記憶装置（例えば、フラッシュメモリ）などで構成することができる。
この記憶手段５１に記憶される素材は、映像データ、音声データ、アンシラリデータなどで構成されている。
なお、本実施形態において、記憶手段５１に記憶される素材（素材01）は、図４に示すように、例えば、「映像データＡ」、「映像データＢ」、「音声データＣ」、「アンシラリデータＤ」によって構成されているものとする。
【００２５】
さらに、記憶手段５１は、インデックス情報を記憶する。
インデックス情報とは、素材、映像データ、音声データ、アンシラリデータに関するパラメータを設定する情報をいう。
このインデックス情報には、図４に示すように、「素材インデックス情報」（素材01_index）と、「映像インデックス情報」（映像index_Ａ）と、「音声インデックス情報」（音声index_Ｃ）と、「アンシラリデータインデックス情報」（アンシラリデータindex_Ｄ）とがある。
【００２６】
「素材インデックス情報」は、図５に示すように、使用する映像、音声、アンシラリデータ（「使用データ」）、「再生順序」、「再生範囲」などの情報を有している。
「映像インデックス情報」は、図６に示すように、「ＹＣレベル」、「色相」などの情報を有している。
「音声インデックス情報」は、図７に示すように、各音声ＣＨに対する音声の「ＣＨ情報」、「音声レベル」、「ＭＵＴＥ」、「音声ＣＨ数」などの情報を有している。
「アンシラリデータインデックス情報」は、図８に示すように、送出時に重畳するアンシラリデータのLINE番号などの指定情報（「ＬＩＮＥ番号」）などの情報を有している。
【００２７】
制御手段５２は、ネットワーク入力された素材（ファイル転送されてきた素材）又はエンコーダ５３で圧縮処理された素材を記憶手段５１へ送って記憶させる。このとき、制御手段５２は、「インデックス情報」と、上位システム４０からの素材管理用の「素材インデックス情報」とを作成し、これらを素材に付加して、記憶手段５１に記憶させる。
【００２８】
ここで、制御手段５２は、「インデックス情報」又は「素材インデックス情報」のフォーマットを記憶手段５１から取り出す。
次いで、制御手段５２は、それら「インデックス情報」又は「素材インデックス情報」の各項目について初期値を設定し、調整したい項目については所定のパラメータを設定する。
また、制御手段５２は、素材のパラメータに関する内容については、編集機１０から素材とともに送られてきたＭＸＦ（Material  eXchange  Format）ファイルを参照し、このＭＸＦファイル（ファイルヘッダのインデックステーブル）に収められている収録時の設定を「インデックス情報」又は「素材インデックス情報」の所定の項目に設定する。
さらに、制御手段５２は、素材がネットワークを介して他のシステムから送られてきたもの（図３のネットワーク入力）であるときは、「インデックス情報」等を構成する各パラメータを他のシステムから受け取り、それら「インデックス情報」等を作成することができる。
【００２９】
また、制御手段５２は、入力手段５６でインデックス情報の編集を開始するための操作が行われると、その後に指定された素材と、この素材に付加されている「インデックス情報」及び「素材インデックス情報」を記憶手段５１から取り出し、表示手段５５へ送って表示させる。
さらに、制御手段５２は、編集後の「インデックス情報」等を素材に付加して、記憶手段５１に記憶させる。
【００３０】
また、制御手段５２は、上位システム４０からの信号入力により素材の送出要求を受けると、その送出要求に示された素材と、この素材に付加されている「素材インデックス情報」及び「インデックス情報」とを、記憶手段５１から取り出す。
次いで、制御手段５２は、その「素材インデックス情報」の「使用データ」にもとづいて、必要な映像、音声、アンシラリデータ、「インデックス情報」を選択し、デコーダ５４へ送る。
【００３１】
エンコーダ５３は、編集機１０から送られてきた素材（図３の「外部入力」から入力された素材）に対し、ＭＰＥＧ−２などの動画像符号化技術を用いて、リアルタイムにデジタル圧縮処理を行う。このデジタル圧縮化されたビデオ動画像情報は、制御手段５２を介して記憶手段５１に蓄積される。
【００３２】
デコーダ５４は、制御手段５２から送られてきた素材に対し、ＭＰＥＧ−２などの動画像符号化技術を用いて、リアルタイムにデジタル解凍処理を行う。この解凍された素材は、外部に送出される。
ここで、デコーダ５４は、ＳＤＩ(Serial  Digital  Interface)などの出力信号に変換する際に、「映像インデックス情報」にしたがって、映像のパラメータを編集して、素材を送出する。
【００３３】
また、デコーダ５４は、音声データをＡＥＳ(Advanced  Encryption  Standard)やＳＤＩなどの出力に変換する際に、「音声インデックス情報」にしたがって、音声のパラメータを編集して、素材を送出する。
さらに、デコーダ５４は、「アンシラリデータインデックス情報」にもとづいて、ＳＤＩ出力に指定されたＬＩＮＥ番号のアンシラリデータを重畳して送出する。このように、インデックス情報を編集することで、重畳するアンシラリデータのＬＩＮＥ番号を指定して送出することができる。
【００３４】
表示手段５５は、所定の情報を表示するモニタである。この表示手段５５は、例えば、素材を再生して表示することができる。また、表示手段５５は、「インデックス情報」や「素材インデックス情報」の各項目及びパラメータを表示することができる。
入力手段５６は、キーボードなどのＭＭＩ（Man  Machine  Interface）や、マウスなどのポインティングデバイスなどで構成することができる。この入力手段５６は、ユーザにより操作されるものであり、例えば、「インデックス情報」等の編集を行なう際などに用いられる。
【００３５】
（インデックス情報の編集）
次に、「インデックス情報」及び「素材インデックス情報」の編集について説明する。
「インデックス情報」等の編集は、表示手段５５が、インデックス情報編集開始用の画面を表示するとともに、ユーザが、入力手段５６を用いて、「インデックス情報」等の編集を開始するための操作を行うことで開始される。
次いで、ユーザは、入力手段５６を操作することで、編集を行なおうとする「インデックス情報」等が付加された素材を指定する。
制御手段５２は、指定された素材と、この素材に付加された「インデックス情報」等を記憶手段５１から取り出し、この「インデックス情報」等を表示手段５５へ送って表示させる。
【００３６】
ユーザは、表示手段５５に表示された「インデックス情報」等の各項目のパラメータを参照し、必要な場合は、その設定値を変更するなどして、「インデックス情報」等の編集を行なう。
制御手段５２は、編集後の「インデックス情報」等を素材に付加し、これらを記憶手段５１へ送って記憶させる。
【００３７】
この「インデックス情報」等の編集処理で行われる編集の例を、図９〜図１３に示す。
例えば、「素材インデックス情報」の「再生順序」については、図９に示すように、「再生フレーム」、「素材」、「先頭アドレス」の各項目について、パラメータを《編集前》から《編集後》のように変更することができる。具体的には、図９の例では、再生順序を「Ａ」→「Ｂ」から「Ｂ」→「Ａ」に変更している。
【００３８】
また、「素材インデックス情報」の「再生範囲」については、図１０に示すように、「ＩＮ点」と「ＯＵＴ点」の各項目について、パラメータを《編集前》から《編集後》のように変更することができる。具体的には、図１０の例では、「ＩＮ点」のパラメータを「０フレーム」から「２７８フレーム」に変更している。また、「ＯＵＴ点」のパラメータを「３００２フレーム」から「２５６４フレーム」に変更している。
さらに、映像の「インデックス情報」の「ＹＣレベル」及び「色相」については、図１１に示すように、パラメータを変更することができる。具体的には、図１１の例では、「ＹＣレベル」のパラメータを「１倍」から「０．９８倍」に変更している。また、「色相」のパラメータを「０ＤＥＧ」から「３０ＤＥＧ」に変更している。
【００３９】
また、アンシラリデータの「インデックス情報」の「ＬＩＮＥ＿ＮＯ」については、図１２に示すように、パラメータを変更することができる。具体的には、図１２の例では、「ＬＩＮＥ＿ＮＯ」を「ＡＬＬ」から「１９ＬＩＮＥ」に変更している。
さらに、音声の「インデックス情報」の「再生ＡＵＤＩＯ＿ＣＨ」については、図１３に示すように、「ＭＵＴＥフラグ」、「音声レベル調整」、「素材音声ＣＨ」の各項目について、パラメータを変更することができる。具体的には、図１３の例では、「再生ＡＵＤＩＯ＿ＣＨ４」の「ＭＵＴＥフラグ」のパラメータを「ＯＦＦ」から「ＯＮ」に変更している。また、「再生ＡＵＤＩＯ＿ＣＨ３」の「音声レベル調整」パラメータを「０ｄＢ」から「−５ｄＢ」に変更している。
【００４０】
このように、本実施形態の送出サーバは、素材のパラメータを、「素材インデックス情報」及び「インデックス情報」として素材に付加し、これを記憶手段５１に記憶しておき、任意のタイミングで、それら「素材インデックス情報」及び「インデックス情報」を送出サーバ５０における入力手段５６の操作により編集可能とした。これにより、素材のパラメータを変更するために、再度素材を収録したり、上位システムのコントローラから制御する必要がなくなる。このため、素材のパラメータの変更を容易かつ迅速に行うことができる。
【００４１】
（素材管理方法）
次に、本実施形態の送出サーバの動作（素材管理方法）について、図１４を参照して説明する。
図１４は、本実施形態の送出サーバの動作手順を示すフローチャートである。
送出サーバ５０の記憶手段５１には、素材に付加すべき「インデックス情報」及び「素材インデックス情報」の各項目のフォーマットが記憶されている。
図１４に示すように、送出サーバ５０は、編集機１０から素材（映像コンテンツ）を入力する（ステップ１０）。この入力された素材は、エンコーダ５３でデジタル圧縮処理がなされる。また、送出サーバ５０は、ネットワーク（図示せず）を介して外部からファイル転送されてきた素材を入力する。
【００４２】
制御手段５２は、それら圧縮処理された素材又はファイル転送されてきた素材を記憶手段５１に記憶させようとするときに、「インデックス情報」及び「素材インデックス情報」を作成する（ステップ１１）。
ここで、制御手段５２は、記憶手段５１から「インデックス情報」及び「素材インデックス情報」の各項目のフォーマットを取り出す。次いで、制御手段５２は、それら各項目のパラメータについて、初期値を設定する。また、調整したい項目のパラメータを所定の値に設定する。さらに、素材のパラメータに関する内容については、編集機１０から送られてきたＭＸＦファイルに収められている収録時の設定の中から必要なパラメータを抽出して設定する。
そして、制御手段５２は、それら作成した「インデックス情報」及び「素材インデックス情報」を素材に付加し（ステップ１２）、その「インデックス情報」等が付加された素材を記憶手段５１に記憶させる（ステップ１３）。
【００４３】
次いで、ユーザにより、入力手段５６で、インデックス情報の編集を開始するための操作がなされると（インデックス情報編集開始指示の入力、ステップ１４）、制御手段５２は、その後に指定された素材と、この素材に付加されている「インデックス情報」及び「素材インデックス情報」とを記憶手段５１から取り出して、表示手段５５に表示させる（ステップ１５）。
ユーザが入力手段５６を操作することにより、「インデックス情報」及び「素材インデックス情報」が編集される。
制御手段５２は、編集後の「インデックス情報」等を素材に付加して、記憶手段５１に記憶させる（ステップ１６）。
【００４４】
続いて、制御手段５２は、上位システム４０から送出要求を受信すると（ステップ１７）、その送出要求に示された素材と、この素材に付加されている「素材インデックス情報」及び「インデックス情報」とを、記憶手段５１から取り出す（ステップ１８）。
次いで、制御手段５２は、その「素材インデックス情報」の「使用データ」にもとづいて、必要な映像、音声、アンシラリデータ、「インデックス情報」を選択し、デコーダ５４へ送る。
【００４５】
デコーダ５４は、制御手段５２から送られてきた素材に対してデジタル解凍処理を行い、外部に送出する。
このとき、デコーダ５４は、ＳＤＩなどの出力信号に変換する際に、「映像インデックス情報」にしたがって、映像のパラメータを編集して送出する。また、デコーダ５４は、音声データをＡＥＳやＳＤＩなどの出力に変換する際に、「音声インデックス情報」にしたがって、音声のパラメータを編集して送出する。さらに、デコーダ５４は、「アンシラリデータインデックス情報」にもとづいて、ＳＤＩ出力に指定されたＬＩＮＥ番号のアンシラリデータを重畳して送出する（ステップ１９、ステップ２０）。
【００４６】
（素材管理プログラム）
次に、素材管理プログラムについて説明する。
上記の実施形態におけるコンピュータ（送出サーバ、ビデオサーバシステム）の素材管理機能（素材管理方法を実行するための機能）は、記憶手段（例えば、ＲＯＭ（Read  only  memory）やハードディスクなど）に記憶された素材管理プログラムにより実現される。
【００４７】
素材管理プログラムは、コンピュータの制御手段（ＣＰＵなど）に読み込まれることにより、コンピュータの構成各部に指令を送り、所定の処理、たとえば、送出サーバの制御手段の素材入力処理、インデックス情報及び素材インデックス情報作成処理、インデックス情報等付加処理、インデックス情報編集開始指示入力処理、素材指定処理、インデックス情報編集処理、素材インデックス情報編集処理、送出要求受信処理、記憶手段の素材記憶処理、エンコーダの素材圧縮処理、デコーダの素材解凍処理、パラメータ調整処理などを行わせる。
これによって、素材管理機能は、ソフトウエアである素材管理プログラムとハードウエア資源であるコンピュータ（送出サーバ、ビデオサーバシステム）の各構成手段とが協働することにより実現される。
【００４８】
なお、素材管理機能を実現するための素材管理プログラムは、コンピュータのＲＯＭやハードディスクなどに記憶される他、コンピュータ読み取り可能な記録媒体、たとえば、外部記憶装置及び可搬記録媒体等に格納することができる。
外部記憶装置とは、ＣＤ−ＲＯＭ（Compact  disk−Read  only  memory）等の記憶媒体を内蔵し、素材管理装置に外部接続されるメモリ増設装置をいう。一方、可搬記録媒体とは、記録媒体駆動装置（ドライブ装置）に装着でき、かつ、持ち運び可能な記録媒体であって、たとえば、フレキシブルディスク，メモリカード，光磁気ディスク等をいう。
【００４９】
そして、記録媒体に記録されたプログラムは、コンピュータのＲＡＭ（Random  access  memory）等にロードされて、ＣＰＵ（制御手段）により実行される。この実行により、上述した実施形態の素材管理装置の機能が実現される。
さらに、コンピュータで素材管理プログラムをロードする場合、他のコンピュータで保有された素材管理プログラムを、通信回線を利用して自己の有するＲＡＭや外部記憶装置にダウンロードすることもできる。このダウンロードされた素材管理プログラムも、ＣＰＵにより実行され、上記実施形態の素材管理装置の素材管理機能を実現する。
【００５０】
以上説明したように、本実施形態の送出サーバ、ビデオサーバシステム、素材管理方法及び素材管理プログラムによれば、送出サーバにおいて、素材のパラメータが「インデックス情報」や「素材インデックス情報」として作成され、これらが素材に付加されて記憶されるため、それら「インデックス情報」等を編集することで、素材のパラメータを容易かつ迅速に変更できる。
このため、素材のパラメータを変更するために、素材を再収録したり、上位システムのコントローラから制御したりする必要がなくなる。
【００５１】
以上、本発明の送出サーバ、ビデオサーバシステム、素材管理方法及び素材管理プログラムの好ましい実施形態について説明したが、本発明に係る送出サーバ、ビデオサーバ、ビデオサーバシステム、素材管理方法及び素材管理プログラムは上述した実施形態にのみ限定されるものではなく、本発明の範囲で種々の変更実施が可能であることは言うまでもない。
【００５２】
例えば、上述した実施形態では、送出サーバと素材サーバを別構成としたが、それらは別構成に限るものではなく、図１５に示すように、ビデオサーバ６０として一つの構成で備えることもできる。この場合、ビデオサーバ６０は、送出サーバとしての機能と素材サーバとしての機能を有している。すなわち、ビデオサーバ６０は、編集前の素材を記憶する第一記憶手段と、編集後の素材（映像コンテンツ）を記憶する第二記憶手段と、インデックス情報及び素材インデックス情報を作成して素材に付加し第二記憶手段に記憶させる制御手段とを有している。これにより、ビデオサーバ６０は、前述の実施形態における送出サーバ５０が有する機能（インデックス情報作成機能、インデックス情報編集機能など）を有している。そして、送出サーバ５０を実施したときの効果と同じ効果を奏することができる。
【００５３】
また、送出サーバのデコーダは、カラーコレクト機能を有することができる。この場合、映像素材の試写時に調整したカラーコレクトのパラメータ情報にもとづいてインデックス情報の色相等の項目のパラメータを編集し、記憶手段に記憶させることで、送出サーバは、試写時に調整した映像素材を送出することができる。
さらに、ビデオサーバシステムには、オンエア済みの素材を保管するためのアーカイブ装置などを備えることもできる。
【産業上の利用可能性】
【００５４】
本発明は、映像素材の管理に関する発明であるため、映像素材を管理する装置や機器に利用可能である。
【符号の説明】
【００５５】
１ａ、１ｂ  ビデオサーバシステム
５０  送出サーバ
５１  記憶手段
５２  制御手段
５４  デコーダ
５５  表示手段
５６  入力手段
６０  ビデオサーバ
【図１】
2010239400.tif 000003
【図２】
2010239400.tif 000004
【図３】
2010239400.tif 000005
【図４】
2010239400.tif 000006
【図５】
2010239400.tif 000007
【図６】
2010239400.tif 000008
【図７】
2010239400.tif 000009
【図８】
2010239400.tif 000010
【図９】
2010239400.tif 000011
【図１０】
2010239400.tif 000012
【図１１】
2010239400.tif 000013
【図１２】
2010239400.tif 000014
【図１３】
2010239400.tif 000015
【図１４】
2010239400.tif 000016
【図１５】
2010239400.tif 000017